(57)【要約】
【課題】本考案は、従来の折畳みテーブルと同様に取り扱いが容易で、天板の上面スペースを大きくすることもできる折り畳みテーブルを提供することを目的とする。
【解決手段】折畳みテーブル１の天板２の底面に設けられたレール体５に小テーブル１０の天板１１を挿入して収納し、折畳みテーブル１の脚体３を折畳んだ状態とすれば、天板１１の底面に設けられたストッパ１４が折畳まれた脚体３に挟持されて小テーブル１１の抜け落ちが防止される。
【選択図】図１
0003101051.tif 000002
【実用新案登録請求の範囲】
【請求項１】
第一天板と該第一天板に取り付けられた折畳み可能な第一脚体とを備えた折畳みテーブルであって、前記第一天板の底面に設けられた収納部と、該収納部に収納される小テーブルとが設けられていることを特徴とする折畳みテーブル。
【請求項２】
第一天板と該第一天板に取り付けられた折畳み可能な第一脚体とを備えた折畳みテーブルであって、前記第一天板の底面にほぼ平行に取り付けられた一対のレール体と、該レール体にその第二天板が挿入されて収納される小テーブルとが設けられていることを特徴とする折畳みテーブル。
【請求項３】
前記小テーブルは、第二天板と該第二天板に取り付けられた折り畳み可能な第二脚体とを備えていることを特徴とする請求項１又は２に記載の折畳みテーブル。
【請求項４】
前記小テーブルは、前記折畳みテーブルと同じ高さであることを特徴とする請求項１から３のいずれかに記載の折畳みテーブル。
【請求項５】
第一天板と該第一天板に取り付けられた折畳み可能な第一脚体とを備えた折畳みテーブルであって、前記第一天板の底面にほぼ平行に取り付けられるととも前記第一脚体の折畳み時に前記第一脚体の配置される部分が少なくとも切欠かれている一対のレール体と、該レール体にその第二天板が挿入されて収納されるとともに該第二天板の底面に設けられたストッパが折畳み状態の前記第一脚体と係合可能である小テーブルとが設けられていることを特徴とする折畳みテーブル。
【考案の詳細な説明】
【技術分野】
【０００１】
本発明は、天板に取り付けられた脚体が折畳み可能な折畳みテーブルに関する。
【背景技術】
【０００２】
折畳みテーブルは、不使用時に脚体を折畳んで片付けておけ、その収納スペースも小さくできることから、狭い住居スペースでも効率よく使用でき、従来より広く使用されてきている。
【０００３】
一方、テーブルを用いる場合、その天板の上面スペースは、できるだけ広いほうが使い勝手がよくなるが、片付けておく場合には天板の大きいものはスペースをとるため好ましいものではない。こうした問題に対処するために、例えば、特許文献１では、収納家具本体に取り付けられたテーブル板に設けた収納部に調整板と該調整板に屈曲自在に連結した脚板を引出自在に設け、使用時には調整板及び脚板を収納部から引き出して調整板を天板として使用できるようにした点が記載されている。
【特許文献１】実公平６−６７５１号公報
【考案の開示】
【考案が解決しようとする課題】
【０００４】
しかしながら、従来の折畳みテーブルは、天板の上面スペースが大きいと収納する際のスペースが大きくなるとともに、持ち運びも不便になる。また、上述した先行文献では、従来技術においては、収納家具に取り付けられるので、折畳みテーブルのような利便性はなく、さらに、テーブル板と調整板との間に段差が生じることは避けられず、使い勝手が悪い。こうした段差を生じないようにすることも考えられるが、そのためには複雑な機構が必要になって、コストアップの要因となり、また使用時のセッティングが難しくなるおそれがある。
【０００５】
そこで、本考案は、従来の折畳みテーブルと同様に取り扱いが容易で、天板の上面スペースを大きくすることもできる折り畳みテーブルを提供することを目的とする。
【課題を解決するための手段】
【０００６】
本考案に係る折畳みテーブルは、第一天板と該第一天板に取り付けられた折畳み可能な第一脚体とを備えた折畳みテーブルであって、前記第一天板の底面に設けられた収納部と、該収納部に収納される小テーブルとが設けられていることを特徴とする。
【０００７】
また、本考案に係る別の折畳みテーブルは、第一天板と該第一天板に取り付けられた折畳み可能な第一脚体とを備えた折畳みテーブルであって、前記第一天板の底面にほぼ平行に取り付けられた一対のレール体と、該レール体にその第二天板が挿入されて収納される小テーブルとが設けられていることを特徴とする。
【０００８】
さらに、上記の折畳みテーブルにおいて、前記小テーブルは、第二天板と該第二天板に取り付けられた折り畳み可能な第二脚体とを備えていることを特徴とする。さらに、前記小テーブルは、前記折畳みテーブルと同じ高さであることを特徴とする。
【０００９】
また、本考案に係るさらに別の折畳みテーブルは、第一天板と該第一天板に取り付けられた折畳み可能な第一脚体とを備えた折畳みテーブルであって、前記第一天板の底面にほぼ平行に取り付けられるととも前記第一脚体の折畳み時に前記第一脚体の配置される部分が少なくとも切欠かれている一対のレール体と、該レール体にその第二天板が挿入されて収納されるとともに該第二天板の底面に設けられたストッパが折畳み状態の前記第一脚体と係合可能である小テーブルとが設けられていることを特徴とする。
【考案の効果】
【００１０】
本考案は、上記のような構成を有することで、第一天板の底面に収納される小テーブルを設けたので、折畳みテーブル自体の天板の上面スペースを小さくしても、必要に応じて小テーブルを取り出して折畳みテーブルに隣接して配置すれば、天板の上面スペースを広くすることができる。そして、小テーブルは、折畳みテーブルの第一天板の底面に収納されるので、不使用時に小テーブルが邪魔となることがない。また、折畳みテーブルを収納する場合にも、小テーブルは折畳みテーブルと一緒に片付けることができ、従来と同様の収納スペースで足りる。さらに、小テーブルのみ取り出して単独でも使用できることから、用途に応じて折畳みテーブルか小テーブルかその両方のいずれかを適宜選択できるようになり、利便性が高まる。さらに、小テーブルを折畳みテーブルよりも軽くすれば、折畳みテーブルの取り出し動作に比べて小テーブルだけの取り出し動作で済む場合に楽にその動作を行えるようになり、いっそう利便性が高まる。
【００１１】
また、折畳みテーブルの第一天板の底面に一対のレール体を設け、レール体に小テーブルの第二天板を挿入することで収納するようにすれば、小テーブルの収納及び取り出しを簡単に行うことができるようになる。
【００１２】
さらに、小テーブルが第二天板と該第二天板に取り付けられた折り畳み可能な第二脚体とを備えることで、折畳みテーブルの収納時に小テーブルも第二脚体を折畳んでおけば、従来の折畳みテーブルと同様に収納することができる。また、小テーブルの高さを折畳みテーブルの高さと同じにすれば、隣接して配置したときに両者の天板に段差が生じることがない。
【００１３】
また、折畳みテーブルの第一天板の底面に一対のレール体を設け、このレール体に第一脚体の折畳み時に第一脚体の配置される部分を少なくとも切欠いておき、小テーブルの第二天板の底面に設けたストッパと折畳まれた第一脚体とが係合可能とすることで、折畳みテーブルの収納時に小テーブルがレール体から外れてしまうことを防止することができる。
【考案を実施するための最良の形態】
【００１４】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１５】
図１は、本考案に係る実施形態の正面図（図１（ａ））及び底面図（図１（ｂ））を示している。また、図２は、小テーブルを取り外した状態の正面図（図２（ａ））及び底面図（図２（ｂ））を示しており、図３は、小テーブルの正面図（図３（ａ））及び底面図（図３（ｂ））を示している。
【００１６】
折畳みテーブル１は、矩形状の天板２の底面の４つの角部に４本の脚体３が折畳み金具４により内方に向けて折畳み可能に取り付けられている。また、天板２の底面には、断面Ｌ字形の一対のレール体５が固定されている。レール体５は、天板２の平行な２つの辺部にほぼ平行となるように設けられており、その間隔は、小テーブル１０の天板１１の幅とほぼ同一になるように設定されている。また、レール体５の天板２との間の隙間は、小テーブル１０の天板１１の厚みと同程度かそれよりもわずかに広く設定されていることが好ましい。
【００１７】
小テーブル１０は、矩形状の天板１１の底面の４つの角部に４本の脚体１２が折畳み金具１３により内方に折畳み可能に設けられている。また、天板１１の底面には、ストッパ１４が天板１１の平行な２つの辺部とほぼ平行になるように固定されている。ストッパ１４は、底面から見て細長い台形状で、内側に長く外側に短い形状となっている。
【００１８】
小テーブル１０は、折畳まれた状態で図１の紙面と直交する方向からレール体５の間に天板１１を挿入して収納される。そして、小テーブル１０の挿入方向の長さは、折畳みテーブル１の長さと同一に設定されている。また、折畳みテーブル１と小テーブル１０とは、使用状態で天板の上面までの高さが同じになるように設計されているため、折畳みテーブル１に隣接して小テーブル１０を配置すれば、天板を広くした状態で使用できる。なお、天板の厚さや脚体の長さは両者で異なってもよく、天板の上面までの高さが同じになるように設計されていればよい。
【００１９】
レール体５は、図２（ｂ）に示すように、脚体３が内方に折畳まれた状態で配置される部分（点線で示す部分）が切り欠かれておりその結果３つの部分５ａ、５ｂ及び５ｃからなる。したがって、脚体３が折畳まれた状態では、５ａ及び５ｂの間に脚体３が嵌合し、レール体５の内側に突出するようになる。同様に、５ｂ及び５ｃの間にも脚体３が嵌合してレール体５の内側に突出する。そして、天板１１に固定されたストッパ１４がレール体の部分５ｂに対向して配置されるように小テーブル１０を設定して、脚体３を折畳んだ状態にすれば、脚体３によりストッパ１４が挟持されて小テーブル１０がレール体５から抜け落ちるのが防止される。その際に、折畳んだ脚体３の側面に沿って、ストッパ１４の斜辺が配置されているので、脚体３の間でストッパ１４ががたつくことなく、安定した状態で保持される。したがって、折畳みテーブル１を収納する際に、従来と同様に天板２を鉛直方向にして運搬しても小テーブル１０も一緒に運搬できる。
【００２０】
図４は、折畳み金具４の取付部分を拡大した側面図（図４（ａ））及びそのＡ−Ａから見た断面図である。折畳み金具４は、天板２にネジ４３により固定される固定金具４０と、脚体３の内側に形成された凹部３０にネジ４３により固定される連結金具４１と、固定金具４０に連結金具４１を回動自在に取り付ける回動軸４２からなる。連結金具４１を凹部３０に固定しているので、脚体３を立設した状態では連結金具４１が外部から隠れるようになり、見栄えがよくなる。折畳み金具１３も折畳み金具４と同様の構成を有している。
【００２１】
以上説明した実施形態では、小テーブルを折畳みテーブルと同様の構成のものを用いているが、異なる形状としてもよい。例えば、天板の形状を楕円形状としても構わない。また、小テーブルの天板の厚みが折畳みテーブルの厚みと異なってもよい。そして、そうした形状の違いに合せて収納部をレール体以外の構造にしてもかまわない。例えば、鉤状に形成された係合部を折畳みテーブルの底面に設けてそれに小テーブルの凹部を引っ掛けるようにしてもよい。
【図面の簡単な説明】
【００２２】
【図１】本考案に係る実施形態を示す正面図及び底面図である。
【図２】本考案に係る実施形態の小テーブルを取り外した状態の正面図及び底面図である。
【図３】本考案に係る実施形態の小テーブルの正面図及び底面図である。
【図４】折畳み金具の取付部分の拡大図である。
【符号の説明】
【００２３】
１    折畳みテーブル
２    天板
３    脚体
４    折畳み金具
５    レール体
10    小テーブル
11    天板
12    脚体
13    折畳み金具
14    ストッパ
【図１】
0003101051.tif 000003
【図２】
0003101051.tif 000004
【図３】
0003101051.tif 000005
【図４】
0003101051.tif 000006